(57)【要約】【課題】消毒機能を有するイオントフォレーシス装置を提供する。【解決手段】イオントフォレーシスによりイオン性薬剤を投与するために使用される作用電極構造体１２０Ａ及び非作用電極構造体と、これらの作用電極構造体１２０Ａ及び非作用電極構造体に異なる極性で接続される直流電源装置１１２とを有し、前記作用電極構造体１２０Ａ及び非作用電極構造体の各々における先端面を密着面として皮膚等の生物学的界面に密着可能なイオントフォレーシス装置であって、前記作用電極構造体１２０Ａ及び非作用電極構造体の少なくとも一方の外側面に、消毒剤保持部１４２Ａを設けた。【選択図】図１
2007054531.tif 000002
【特許請求の範囲】
【請求項１】
イオントフォレーシスによりイオン性薬剤を投与するために使用される作用電極構造体及び非作用電極構造体と、これらの作用電極構造体及び非作用電極構造体に異なる極性で接続される直流電源装置とを有し、前記作用電極構造体及び非作用電極構造体の各々における先端面を密着面として皮膚等の生物学的界面に密着可能なイオントフォレーシス装置であって、
前記作用電極構造体及び非作用電極構造体の少なくとも一方の外側面に、消毒剤保持部を設けた
ことを特徴とするイオントフォレーシス装置。
【請求項２】
請求項１において、
前記消毒剤保持部は、前記密着面にライナを介して設けられている
ことを特徴とするイオントフォレーシス装置。
【請求項３】
請求項１において、
前記作用電極構造体及び非作用電極構造体の少なくとも一方は、前記電極を保護するためのバッキング層を有し、
該バッキング層に、前記消毒剤保持部及び消毒剤の通路となる消毒剤通路が形成されている
ことを特徴とするイオントフォレーシス装置。
【請求項４】
イオントフォレーシスによりイオン性薬剤を投与するために使用される作用電極構造体及び非作用電極構造体と、これらの作用電極構造体及び非作用電極構造体に異なる極性で接続される直流電源装置とを有し、前記作用電極構造体及び非作用電極構造体の各々における先端面を密着面として皮膚等の生物学的界面に密着可能なイオントフォレーシス装置であって、
前記イオン性薬剤を保持する薬剤保持部、及び電解液を保持する電解液保持部の少なくとも一方を、消毒剤保持部とした
ことを特徴とするイオントフォレーシス装置。
【請求項５】
請求項１乃至４のいずれかにおいて、
前記消毒剤保持部に保持される消毒剤は、エチルアルコールである
ことを特徴とするイオントフォレーシス装置。
【発明の詳細な説明】
【技術分野】
【０００１】
本発明は、イオントフォレーシスによりイオン性薬剤を投与するために使用される作用電極構造体及び非作用電極構造体と、これらの作用電極構造体及び非作用電極構造体に異なる極性で接続される直流電源装置と、を有するイオントフォレーシス装置に関する。
【背景技術】
【０００２】
従来から、特許文献１に示されるようなイオントフォレーシス装置が公知となっている。
【０００３】
このイオントフォレーシス装置は、イオン交換膜を巧みに配置することによって保持する薬剤（薬剤イオン）を効率的に皮膚側へと経皮導入することを実現している。
【０００４】
図７は、従来からのイオントフォレーシス装置を模式的に示した図であり、図８は、図７における作用電極構造体２０を密着面６０側から図示したものである。
【０００５】
なお、説明の便宜上、装置の厚み等は誇張して図示している。現実に使用される装置としては、図９に示すようなより扁平な構造のものが多い。以下本明細書において同様である。
【０００６】
図７及び図８で示すイオントフォレーシス装置１０について簡単に説明する。
【０００７】
イオントフォレーシス装置１０は作用電極構造体２０Ａと、非作用電極構造体２０Ｂとが電源装置１２と接続された構成とされている。作用電極構造体２０Ａは電源装置と接続される電極２２Ａと、該電極２２Ａの前面側に位置する緩衝液保持部３２Ａと、該緩衝液保持部３２Ａの前面に位置するアニオン交換膜２６Ａと、該アニオン交換膜２６Ａの前面に位置する薬剤保持部（薬剤保持部）３０Ａと、該薬剤保持部３０Ａの前面に位置するカチオン交換膜２８Ａとが、バッキング層２４Ａの中に収容されている。なお、このバッキング層２４Ａは、この実施形態においては容器を兼ねているものである。
【０００８】
又、カチオン交換膜２８Ａの周囲、且つ、作用電極構造体２０Ａの密着面６０Ａ側には、この作用電極構造体２０Ａを皮膚に粘着させるための粘着部３４が周設されている。
【０００９】
一方、非作用電極構造体２０Ｂは、電源装置と接続される電極２２Ｂと、該電極２２Ｂの前面に位置する緩衝液保持部３２Ｂと、該緩衝液保持部３２Ｂの前面に位置するカチオン交換膜２６Ｂと、該カチオン交換膜２６Ｂの前面に位置する電解液保持部３０Ｂと、該電解液保持部３０Ｂの前面に位置するアニオン交換膜２８Ｂとが、バッキング層２４Ｂの中に収容されている。なお、ここでもバッキング層２４Ｂは、非作用電極構造体２０Ｂの容器としても機能している。更に、アニオン交換膜２８Ｂの周囲、且つ、非作用電極構造体２０Ｂの密着面側には、粘着部３４Ｂが周設されている。
【００１０】
このような構成のイオントフォレーシス装置は、例えば、塩酸モルヒネや塩酸リドカイン等を用いた麻酔薬が、薬剤保持部３０Ａに封入されて使用されることが多い。
【００１１】
経皮導入により麻酔薬を導入するのは、何らかの薬剤を皮膚内に注射したいような場合に、該注射による疼痛を防止又は軽減するべくなされることが多く、イオントフォレーシス装置による経皮導入（麻酔）の後には、医師等による注射がされることとなる。
【００１２】
又、注射を打つ場合には、注射する部分をエチルアルコール（以下単に「エタノール」という場合がある。）等の消毒剤で予め注射して行なう必要があり、又、現実にそのように処置されていることは周知の事実である。
【００１３】
又、イオントフォレーシス装置を用いて、経皮導入を行う場合に、皮膚面に皮脂などの油分が付着していると、薬剤イオンの輸率（輸送効率）が低下する。一方で、エタノールなどのアルコール類を用いて消毒すれば、油分を除去することができる事も周知の事実である。
【００１４】
なお、前述の説明も含め、本明細書において「前面」とは、装置の使用時（装着時）において、より生体（生物学的界面）側に近いことを意味するものである。
【００１５】
【特許文献１】特開平４−２９７２７７号公報
【発明の開示】
【発明が解決しようとする課題】
【００１６】
しかしながら、麻酔等をするためのこのようなイオントフォレーシス装置の他に、別途消毒剤を予め準備しておくことは煩雑であり、場合によっては準備をし忘れることもある。又、イオントフォレーシス装置により導入される麻酔薬が効果を発揮する時間は有限のものであり、消毒剤等の準備に手間をとられ、イオントフォレーシス装置による麻酔薬の経皮導入後の処置（注射）を、麻酔が効果的に効いている時間に行なうことができず、疼痛を防止又は緩和するという目的が十分に果たせない場合も起こり得る。更に、皮膚面に多くの油分が付着したまま経皮導入を行っても、薬物吸収の効率が悪い。
【００１７】
特に、十分な設備が整っている病院等の施設内であるならば問題とならない場合も多いであろうが、事故現場等の僻地で使用する場合や、戦地、開発途上国で使用される場面を考慮すれば、常にエタノール等の消毒剤が手元にあるとは言えない。
【００１８】
本発明は、これらの問題点を解決するべくなされたものであって、消毒機能を備えたイオントフォレーシス装置を提供することをその課題とする。
【課題を解決するための手段】
【００１９】
以下で詳細に説明する実施形態のように、イオントフォレーシスによりイオン性薬剤を投与するために使用される作用電極構造体及び非作用電極構造体と、これらの作用電極構造体及び非作用電極構造体に異なる極性で接続される直流電源装置とを有し、前記作用電極構造体及び非作用電極構造体の各々における先端面を密着面として皮膚等の生物学的界面に密着可能なイオントフォレーシス装置であって、前記作用電極構造体及び非作用電極構造体の少なくとも一方の外側面に、消毒剤保持部を設けた構成とすることにより、上記課題を解決するものである。
【００２０】
これにより、イオントフォレーシス装置を用いて経皮導入をする場合に、別途消毒剤を準備又は用意する必要が無い。
【００２１】
又、前記消毒剤保持部は、前記密着面にライナを介して設けてもよい。
【００２２】
これにより、従来からあるイオントフォレーシス装置（作用電極又は非作用電極構造体）に改変を加えることなく従来のものをそのまま利用でき、簡易な構成で、且つ、低コストで実現することが可能となる。
【００２３】
又、前記作用電極構造体及び非作用電極構造体の少なくとも一方は、前記電極を保護するためのバッキング層を有し、該バッキング層に、前記消毒剤保持部及び消毒剤の通路となる消毒剤通路を形成してもよい。
【００２４】
これにより、消毒剤をゲル等に含有させることなく、液体のまま保持することが可能となる。
【００２５】
又、イオントフォレーシスによりイオン性薬剤を投与するために使用される作用電極構造体及び非作用電極構造体と、これらの作用電極構造体及び非作用電極構造体に異なる極性で接続される直流電源装置とを有し、前記作用電極構造体及び非作用電極構造体の各々における先端面を密着面として皮膚等の生物学的界面に密着可能なイオントフォレーシス装置であって、前記イオン性薬剤を保持する薬剤保持部、及び電解液を保持する電解液保持部の少なくとも一方を、消毒剤保持部として構成してもよい。
【００２６】
これにより、薬剤保持部及び電解液保持部の少なくとも一方と、消毒剤保持部とを兼用でき、低コストで消毒剤保持部を構成することができる。
【００２７】
又、前記消毒剤保持部に保持される消毒剤を、エチルアルコールで構成してもよい。
【００２８】
これにより、消毒剤の入手が容易となる。
【発明の効果】
【００２９】
本発明を適用することで、別途消毒剤を準備する必要がなく、安全、且つ衛生的にイオントフォレーシス装置による経皮導入後の処置を行なうことができる。
【発明を実施するための最良の形態】
【００３０】
以下添付図面を用いて、本発明に係る実施形態の一例を詳細に説明する。
【００３１】
図１は本発明に係るイオントフォレーシス装置１１０の作用電極構造体１２０Ａの部分を図示したものであり、従来例として説明したイオントフォレーシス装置１０の作用電極構造体２０Ａの部分に相当するものである。
【００３２】
なお、説明の便宜上、薬効成分がカチオンに解離する薬剤（例えば麻酔薬である塩酸リドカイン、麻酔薬である塩酸モルヒネ等）を投与するためのイオントフォレーシス装置を例として説明するが、これとは逆に、薬効成分のアニオンに解離する薬剤（例えば、ビタミン剤であるアスコルビン酸等）を投与するためのイオントフォレーシス装置の場合は、以下の実施形態における電極に印加される電圧、及びイオン交換膜乃至イオン交換樹脂に導入される交換基の極性（プラスとマイナス）を入れ換えることにより構成することができる。又、説明の都合上、作用電極構造体のみを取出して説明しているが、非作用電極構造体においても同様な構成とすることは勿論可能である。
【００３３】
作用電極構造体１２０Ａは、電源装置１１２と接続される電極１２２Ａと、該電極１２２Ａの前面側に位置する緩衝液保持部１３２Ａと、この緩衝液保持部１３２Ａの前面側に位置するアニオン交換膜１２６Ａと、該アニオン交換膜１２６Ａの前面に位置する薬剤保持部１３０Ａと、該薬剤保持部１３０Ａの前面に位置するカチオン交換膜１２８Ａとが、バッキング層１２４Ａの中に収容されている。なお、本実施形態においては、バッキング層１２４Ａが作用電極構造体１２０Ａの容器も兼ねている。
【００３４】
電極１２２Ａは、任意の導電性材料を用いることができるが、本実施形態のように後述する緩衝液保持部１３２Ａが存在するような場合には、炭素電極（カーボン電極）を用いるのが好ましい。
【００３５】
緩衝液保持部１３２Ａは、長時間にわたってイオントフォレーシス装置１１０の通電性を確保するための緩衝液を保持するものであり、この緩衝液としてはリン酸緩衝食塩水や有機酸類の水溶液を使用することが可能である。より好ましくは、水の電解反応（作用電極構造体１２０Ａは電源装置のアノードに接続されているため、酸化反応）よりも酸化され易い電解質、例えば、リン酸第１鉄、リン酸第２鉄等の無機化合物、アスコルビン酸（ビタミンＣ）やアスコルビン酸ナトリウム等の物質、乳酸、シュウ酸、リンゴ酸、コハク酸、フマル酸の有機酸及び／又はその塩、又はこれらの混合物を使用することにより、水の電解によるガスの発生及びこれによる導電抵抗の増大あるいはｐＨ値の変動を防止することも可能である。勿論、ここで説明した物質に限定される趣旨のものではない。
【００３６】
アニオン交換膜１２６Ａは、アニオンを選択的に透過させる機能を有するイオン交換膜であり、例えば、株式会社トクヤマ製ネオセプタ（ＮＥＯＳＥＰＴＡ）ＡＭ−１、ＡＭ−３、ＡＭＸ、ＡＨＡ、ＡＣＨ、ＡＣＳ等のアニオン交換膜を特に制限無く使用できる。又、ポリオレフィン樹脂、塩化ビニル系樹脂、フッ素系樹脂、ポリアミド樹脂、ポリイミド樹脂からなる多孔質フィルムの孔の一部又は全部に、アニオン交換樹脂が重合されたタイプのアニオン交換膜を特に好ましく使用することができる。この場合のアニオン交換樹脂の充填は、スチレン−ジビニルベンゼン、クロロメチルスチレン−ジビニルベンゼン等の架橋性単量体に重合開始剤を配合した溶液を上記多孔質フィルムの孔中に含浸させた後に重合させ、この重合体に１乃至３級アミノ基、４級アンモニウム基、ピリジル基、イミダゾール基、４級ピリジニウム基、４級イミダゾリウム基等のアニオン交換基を導入することにより行なうことができる。
【００３７】
薬剤保持部１３０Ａには、溶液によって薬効成分がカチオンに解離する薬剤の溶液（薬液）が保持される。なお、作用電極構造体が電源装置のカソードに接続されている場合には、この薬剤保持部には溶解によって薬効成分がアニオンに解離する薬剤の薬液が保持されることになる。
【００３８】
続いてカチオン交換膜１２８Ａは、カチオンを選択的に透過させる機能を有するイオン交換膜であり、例えば、株式会社トクヤマ製ネオセプタ（ＮＥＯＳＥＰＴＡ）ＣＭ−１、ＣＭ−２、ＣＭＸ、ＣＭＳ、ＣＭＢ等のカチオン交換膜を特に制限無く使用できる。又、ポリオレフィン樹脂、塩化ビニル系樹脂、フッ素系樹脂、ポリアミド樹脂、ポリイミド樹脂等からなる多孔質フィルムの孔の一部又は全部に、カチオン交換樹脂が充填されたタイプのカチオン交換膜を特に好ましく使用することができる。この場合のアニオン交換樹脂の充填は、例えば、スチレン−ジビニルベンゼン、クロロメチルスチレン−ジビニルベンゼン等の架橋性単量体に重合開始剤を配合した溶液を上記多孔質フィルムの孔中に含浸させた後に重合させ、この重合体にスルホン酸基、カルボン酸基、ホスホン酸基等のカチオン交換基を導入することにより行なうことができる。
【００３９】
続いてバッキング層１２４Ａは、作用電極構造体１２０Ａの一次構造要素として機能し、好ましくは作用電極構造体１２０Ａにその柔軟性、非覆性を与えるのが良い。バッキング層１２４Ａに使用される材料は、不活性で、防水性に優れ、作用電極構造体１２０Ａ内に含まれた薬剤組成物の薬物、安定剤等のその他の成分を吸収し得るべきではない。又、外部との隔壁、即ち、保護カバーとしての役目を果たす。バッキング層は、好ましくは軟質材料の一層以上のシート又はフィルムから作られ、作用電極構造体１２０Ａが生物学的界面（皮膚又は粘膜等）の輪郭に追従することが好ましい。
【００４０】
又、カチオン交換膜１２８Ａの外周部、且つ、作用電極構造体１２０Ａの密着面側には、粘着部１３４Ａが周設されている。この粘着部１３４Ａは、ヒドロゲル等で構成され、作用電極構造体１２０Ａを、生物学的界面の表面に密着することが可能となっている。
【００４１】
又、作用電極構造体１２０Ａの密着面側、即ち、カチオン交換膜１２８Ａと、粘着部１３４Ａの下側（図１における下側）には、ライナ１４０Ａが形成されている。更に、該ライナ１４０Ａの下側にはエチルアルコール等の消毒剤が保持された消毒剤保持部１４２Ａが形成されている。更にこの消毒剤保持部１４２Ａの下側には保護シート１４４Ａが形成されている。なお、この消毒剤保持部１４２Ａと、保護シート１４４Ａとで消毒用パッチ１４６Ａが形成されることになる。
【００４２】
ライナ１４０Ａは、軟質材料の一層以上のシート又はフィルムから作られ、粘着部１３４Ａ及び消毒剤保持部１４２Ａがその粘着力により粘着することができる材料であればよい。但し、薬剤保持部１３０Ａに保持される薬剤や、消毒剤保持部１４２Ａに保持される消毒剤等が、通過できない材質である必要がある。
【００４３】
又、外部からの力を加えることで、粘着部１３４Ａ及び消毒剤保持部１４２Ａを損傷させることなく、粘着部１３４Ａ及び消毒剤保持部１４２Ａを取り外すことが可能である。
【００４４】
消毒剤保持部１４２Ａは、例えば、ヒドロゲル等の粘着性を有するゲル層に、エチルアルコール等の消毒剤が含有された層である。なお、消毒剤はエチルアルコールに限定されるものではない。
【００４５】
保護シート１４４Ａは、消毒剤保持部１４２Ａに保持された消毒剤が、外部に漏れ出すことを防ぐ機能を有する。この保護シート１４４Ａは、バッキング層１２４Ａと同様に柔軟性がある材料であることが好ましい。
【００４６】
又、消毒剤保持部１４２Ａと、保護シート１４４Ａとは、接着されて一体的な構成となっており、作用電極構造体１２０Ａから取り外すことによって、消毒用パッチ１４６Ａとして機能することが可能である。
【００４７】
次にイオントフォレーシス装置１１０の作用について説明する。
【００４８】
電源装置１１２からの電気が作用電極構造体１２０Ａにおける電極１２２Ａへと伝わると、緩衝液保持部１３２Ａに備わる緩衝液が酸化される。そうすると、薬剤保持部１３２Ａに備わるカチオンとアニオンのバランスが崩れることとなる。このバランスを補うために、緩衝液保持部１３２Ａのカチオンは薬剤保持部１３０Ａの方向に移動しようとする。一方、薬剤保持部１３０Ａに備わるアニオンも、緩衝液保持部１３２Ａ側へと移動しようとする。しかしながら、緩衝液保持部１３２Ａと薬剤保持部１３０Ａの間に位置するアニオン交換膜１２６Ａの存在により、カチオンは通過できずアニオンのみが選択的に透過されることになる。即ち、緩衝液保持部１３２Ａから薬剤保持部１３０Ａへのカチオンの移動は認められず、薬剤保持部１３０Ａから緩衝液保持部１３２Ａへのアニオンの移動のみが許容される。そうすると、薬剤保持部１３０Ａのカチオンとアニオンのバランスが崩れてしまう。更にこれを補うために、薬剤保持部１３０Ａのカチオンはカチオン交換膜１２８Ａを通過して生物学的界面側へと移動しようとする。このときのカチオンは、カチオン交換膜１２８Ａに選択的に透過されるため生物学的界面側へと移動することが可能となっている。
【００４９】
次に、本実施形態に係るイオントフォレーシス装置１１０の使用方法について説明する。但し、説明の便宜上、イオントフォレーシス装置１１０における作用電極構造体１２０Ａの部分のみを取出して説明する。
【００５０】
図２は、イオントフォレーシス装置１１０の作用電極構造体１２０Ａを、装着する手順を示したものである。
【００５１】
まず、図２（Ａ）に示すように、消毒用パッチ１４６Ａを作用電極構造体１２０Ａから剥がす。
【００５２】
続いて、（Ｂ）に示すように、剥がした消毒用パッチ１４６Ａを経皮導入を行なおうとする部分に貼り付ける。このとき、生物学的界面側には、アルコール等の消毒剤が保持された消毒剤保持部１４２Ａ側が生物学的界面に当接ように貼り付ける必要がある。又、消毒用パッチ１４６Ａには、保護シート１４４Ａが備わっているため、アルコール等の消毒剤が漏れ出てくるようなことはない。
【００５３】
続いて、消毒に必要な一定時間が経過した後に、（Ｃ）に示すように、生物学的界面に貼り付けた消毒用パッチ１４６Ａを剥がす。
【００５４】
続いて、（Ｄ）に示すように、作用電極構造体１２０Ａに残されているライナ１４０Ａを取り外す必要がある。これにより、作用電極構造体１２０Ａにおける、粘着部１３４Ａ及びカチオン交換膜１２８Ａが、外部に露出することになる。
【００５５】
続いて、（Ｅ）に示すように、作用電極構造体１２０Ａを、先ほどの消毒用パッチ１４６Ａにて消毒した部位に貼り付ける。
【００５６】
この状態で、電源装置１１２を作動させると、薬剤保持部１３０Ａに備わる薬液が、カチオン交換膜１２８Ａを介して生物学的界面側へと移動することとなる。
【００５７】
その後は、経皮導入終了後に、作用電極構造体１２０Ａを取り外し、その部分に注射等の処置を施すことが可能となる。
【００５８】
このように、作用電極構造体１２０Ａに、エタノール等の消毒剤を含んだ消毒剤保持部１４２Ａ及び保護シート１４４Ａからなる消毒用パッチ１４６Ａが備わっていることによって、別途消毒剤等を用意する必要がない。又、アルコールによって予め経皮導入部位の油分が除去されているため、薬剤イオンを効率的に導入できる。なお、アルコール消毒に起因する薬剤イオンの透過率向上を特に期待しない場合には、前述した説明とは逆に、経皮導入を終えた後に、消毒用パッチにより消毒する手順を採用しても本発明の目的に反するものではない。
【００５９】
なお、作用電極構造体１２０Ａにおいては、粘着部１３４Ａとライナ１４０Ａの粘着力が、ライナ１４０Ａと消毒剤保持部１４２Ａの粘着力よりも大きくなるように構成することが望ましい。このようにすることで、消毒用パッチ１４６Ａを取り外すときに、ライナ１４０Ａが、誤って消毒用パッチ１４６Ａ側に付着して剥がれることを防止することができる。
【００６０】
又、消毒剤保持部１４２Ａの構成は、前述したような消毒用パッチ１４６Ａとして必ずしも構成されていなくともよく、図３におけるような構成としてもよい。
【００６１】
図３は、イオントフォレーシス装置１１０の作用電極構造体１２０Ａにおいて、消毒剤保持部１４２Ａの他の構成例を示すものである。
【００６２】
ここでは、作用電極構造体１２０Ａの密着面、即ち、カチオン交換膜１２８Ａと粘着部１３４Ａの下側（図３における下側）には第２ライナ１４０Ａが形成されている。又、この第２ライナ１４０Ａの下には、エチルアルコール等の消毒剤を保持する消毒剤保持部１４２Ａが形成されている。更に、この消毒剤保持部１４２Ａの下側には、第１ライナ１４４Ａが形成されている。
【００６３】
即ち、既に説明した実施例における消毒用パッチ１４６Ａの部分が、一体として構成されているのではなく、消毒剤保持部１４２Ａと、この消毒剤保持部１４２Ａと分離可能な第１ライナとで構成されている。このような構成とすることで、図４に示すような使用方法が可能となる。
【００６４】
まず、図４（Ａ）に示すように、作用電極構造体１２０Ａから、第１ライナ１４４Ａのみを取り除く。これにより、エチルアルコール等の消毒剤を含浸した消毒剤保持部１４２Ａが露出することになる。この露出した消毒剤保持部１４２Ａを、経皮導入したい部分に密着し、該部分を消毒する。即ち、作用電極構造体１２０Ａを含めた装置全体を一旦生物学的界面側に貼り付けて消毒することになる。
【００６５】
続いて、（Ｂ）に示すように、消毒に必要な一定の時間が経過した後に、（Ｃ）に示すように作用電極構造体１２０Ａを含めて消毒剤保持部１４２Ａを生物学的界面から取り除く。その後、（Ｄ）に示すように、作用電極構造体１２０Ａに存在している消毒剤保持部１４２Ａ及び第２ライナ１４０Ａを作用電極構造体１２０Ａから取り除く。なお、消毒剤保持部１４２Ａと第２ライナ１４０Ａとは、必ずしも一体的に構成されている必要はないが、消毒剤保持部１４２Ａと第２ライナ１４０Ａとが剥離不能な程度に一体化されている方が取扱い上好ましい。
【００６６】
これにより、作用電極構造体１２０Ａのカチオン交換膜１２８Ａ及び粘着部１３４Ａが外部に露出することになる。
【００６７】
その状態で、（Ｅ）に示すように、先ほど消毒を行なった部分に対して、再び作用電極構造体１２０Ａを貼り付けて、経皮導入を行なうことになる。
【００６８】
このような構成として、このように使用することで、作用電極構造体を含めたイオントフォレーシス装置自体を常に生物学的界面側に装着しておくことができ、イオントフォレーシス装置自体を紛失してしまうような事態を避けることができる。
【００６９】
次に、図５を用いて、本発明における他の実施形態の一例を説明する。
【００７０】
なお、前述したイオントフォレーシス装置１１０における作用電極構造体１２０Ａと同一又は類似する部分については、数字下２桁が同一の符号を付するに止め、構成及び作用について重複した説明は省略する。
【００７１】
イオントフォレーシス装置２１０における作用電極構造体２２０Ａにおいては、消毒剤保持部２５０Ａが、バッキング層２２４Ａに形成されている。図５においては、作用電極構造体２２０Ａの最も上部側の一部に、消毒剤保持部２５０Ａが形成されているが、必ずしもこの部分に限定される趣旨のものではなく、例えば上部に全体的に形成されていてもよい。
【００７２】
この消毒剤保持部２５０Ａには、エチルアルコール等の消毒剤が、液体のまま封入されている。即ち、エチルアルコール等の消毒剤を含有させるためのゲル等を用いる必要がないため、その分のコストが不要となる。
【００７３】
又、作用電極構造体２２０Ａのバッキング層２２４Ａには、消毒剤保持部２５０Ａに備わる消毒剤の通路となる消毒剤通路２５２Ａが形成されている。この消毒剤通路２５２Ａは、前述した消毒剤保持部２５０Ａからバッキング層２２４Ａに沿って作用電極構造体２２０Ａの密着面２６０Ａ側にまで到達している。この消毒剤通路２５２Ａは、図６に示すように、作用電極構造体２２０Ａの密着面２６０Ａ側に、複数形成されているのが望ましい。
【００７４】
このイオントフォレーシス装置２１０における作用電極構造体２２０Ａは、バッキング層２２４Ａにおける消毒剤保持部２５０Ａを有する部分、即ち、消毒剤保持部２５０Ａの上部にある押し下げ部２２５Ａを、指等で一定の力以上で押え付けることによって、消毒剤保持部２５０Ａに含まれたエチルアルコール等の消毒剤が、消毒剤通路２５２Ａを通って、作用電極構造体２２０Ａの密着面２６０Ａ、即ち、生物学的界面側へと放出される。
【００７５】
具体的な使用方法としては、イオントフォレーシス装置２１０によって経皮導入を行なった後に、この押し下げ部２２５Ａを押すことによって生物学的界面を消毒することもでき、経皮導入をする前にこの押し下げ部２２５を押すことによって予め生物学的界面を消毒した後に経皮導入を行なうことも可能である。経皮導入前に消毒を行なうことによって、経皮導入がされている時間において、消毒液が到達し難く、消毒がされ難い毛穴等の部分においても時間を掛けて効果的に消毒を行なうことができ、又、アルコール消毒により生物学的界面上の油分を取り除くことができる。一方、経皮導入後に行なう場合には、経皮導入された物質の存在を考慮する必要がない。
【００７６】
又、図示はしないが、作用電極構造体における薬剤保持部、及び非作用電極構造体における電解液保持部（非作用電極構造体側にも薬剤保持部を形成する場合には薬剤保持部）に直接エチルアルコールなどの消毒剤を混入させ、前記各層と消毒剤保持部とを兼用させるような構成としてもよい。このような構成としても、例えばエチルアルコールは荷電を持たないため、薬剤保持部中に混入させても通電時における薬剤イオンの輸送効率に影響を与えることはない。
【００７７】
なお、前述した実施例においては、イオントフォレーシス装置における作用電極構造体（非作用電極構造体）において、カチオン交換膜及びアニオン交換膜がそれぞれ１枚ずつ用いられている実施例として説明したが、この構成に限られるものではなく、例えばバイポーラ膜を用いるような構成とされていてもよい。又、緩衝液保持部は本発明において必須の構成要素となるものではない。
【産業上の利用可能性】
【００７８】
本発明は、人体に対して用いられるイオントフォレーシス装置のみならず、広く動物及び植物に用いられるイオントフォレーシス装置においても適用することができる。
【図面の簡単な説明】
【００７９】
【図１】本発明に係るイオントフォレーシス装置の作用電極構造体の断面図
【図２】図１における作用電極構造体の使用例
【図３】本発明に係る他の実施形態を示す作用電極構造体の断面図
【図４】図３における作用電極構造体の使用例
【図５】本発明に係る他の実施形態を示す作用電極構造体の断面図
【図６】図５における作用電極構造体を密着面側から見た図
【図７】従来例として示すイオントフォレーシス装置の構造図
【図８】図７におけるイオントフォレーシス装置における作用電極構造体を密着面側から見た図
【図９】現実に使用されるイオントフォレーシス装置例を示す斜視図
【符号の説明】
【００８０】
１１０…イオントフォレーシス装置
１１２…電源装置
１２０Ａ…作用電極構造体
１２２Ａ…電極
１２４Ａ…バッキング層
１２６Ａ…アニオン交換膜
１２８Ａ…カチオン交換膜
１３０Ａ…薬剤保持部
１３２Ａ…緩衝液保持部
１３４Ａ…粘着部
１４０Ａ…ライナ
１４２Ａ…消毒剤保持部
１４４Ａ…保護シート
１４６Ａ…保護パッチ
【図１】
2007054531.tif 000003
【図２】
2007054531.tif 000004
【図３】
2007054531.tif 000005
【図４】
2007054531.tif 000006
【図５】
2007054531.tif 000007
【図６】
2007054531.tif 000008
【図７】
2007054531.tif 000009
【図８】
2007054531.tif 000010
【図９】
2007054531.tif 000011